(57)【要約】【課題】１層目カバー部材と２層目カバー部材の取り付け作業を簡単かつ短時間で行うことができ、冷却収縮に伴うカバー部材の破損も確実に回避できる断熱用カバー部材。【解決手段】保冷対象物の外表面に沿って複数の断熱用の１層目カバー部材１を配設し、隣接する１層目カバー部材１どうしを接続部１２で互いに接続し、さらに、１層目カバー部材１の外表面に沿って複数の断熱用の２層目カバー部材２を配設し、隣接する２層目カバー部材２どうしを接続部１２で互いに接続して、１層目カバー部材１と２層目カバー部材２を保冷対象物の外表面に取り付けるための断熱用カバー部材で、１層目カバー部材１の外表面と２層目カバー部材２の内表面が、互いに剥離自在な剥離手段１１によって予め接続されている。【選択図】        図４
2005133838.tif 000002
【特許請求の範囲】
【請求項１】
保冷対象物の外表面に沿って複数の断熱用の１層目カバー部材を配設し、隣接する１層目カバー部材どうしを接続部で互いに接続し、さらに、その１層目カバー部材の外表面に沿って複数の断熱用の２層目カバー部材を配設し、隣接する２層目カバー部材どうしを接続部で互いに接続して、前記１層目カバー部材と２層目カバー部材を前記保冷対象物の外表面に取り付けるための断熱用カバー部材であって、
前記１層目カバー部材の外表面と２層目カバー部材の内表面が、互いに剥離自在な剥離手段によって予め接続されている断熱用カバー部材。
【請求項２】
前記剥離手段が、前記１層目カバー部材の外表面と２層目カバー部材の内表面を剥離自在にかつ部分的に接着する粘着性接着層により構成されている請求項１に記載の断熱用カバー部材。
【請求項３】
前記剥離手段が、前記１層目カバー部材の外表面と２層目カバー部材の内表面のうちの少なくとも一方の表面に剥離自在に貼着されたフィルムと、そのフィルムを他方の表面に接着する接着層により構成されている請求項１に記載の断熱用カバー部材。
【請求項４】
前記剥離手段が、前記１層目カバー部材の外表面に剥離自在に貼着された外表面フィルムと前記２層目の内表面に剥離自在に貼着された内表面フィルム、および、それら内外の表面フィルムを部分的に接着する接着層により構成されている請求項３に記載の断熱用カバー部材。
【請求項５】
前記１層目カバー部材と２層目カバー部材が硬質ウレタンで形成され、前記外表面フィルムが、その硬質ウレタンからなる１層目カバー部材の外表面に貼着された防湿シートの保護用フィルムであり、前記内表面フィルムが、その硬質ウレタンからなる２層目カバー部材の製造時に使用された離型用フィルムである請求項４に記載の断熱用カバー部材。
【請求項６】
前記接着層が、前記内外の表面フィルムを剥離自在に接着する粘着性接着層により構成されている請求項４または５に記載の断熱用カバー部材。
【発明の詳細な説明】
【技術分野】
【０００１】
本発明は、保冷対象物の外表面に沿って複数の断熱用の１層目カバー部材を配設し、隣接する１層目カバー部材どうしを接続部で互いに接続し、さらに、その１層目カバー部材の外表面に沿って複数の断熱用の２層目カバー部材を配設し、隣接する２層目カバー部材どうしを接続部で互いに接続して、前記１層目カバー部材と２層目カバー部材を前記保冷対象物の外表面に取り付けるための断熱用カバー部材に関する。
【背景技術】
【０００２】
この種の断熱用カバー部材としては、例えば、保冷対象物が低温流体通流用のパイプの場合、そのパイプの外表面に沿って配設する半円筒形状の１層目カバー部材と、その１層目カバー部材の外表面に沿って配設する半円筒形状の２層目カバー部材が使用されており、従来、１層目カバー部材と２層目カバー部材が、互いに別体でかつ非接続状態に構成されていた。
そして、従来では、パイプの外表面に１層目カバー部材を配設して、隣接する１層目カバー部材どうしを接続してパイプに取り付け、その後、１層目カバー部材の外表面に２層目カバー部材を配設し、隣接する２層目カバー部材どうしを接続して１層目カバー部材の外側に取り付けていた（実際に実施されているが、このような構成の断熱用カバー部材やその施工方法などに言及した特許公報などは見当たらない）。
【発明の開示】
【発明が解決しようとする課題】
【０００３】
したがって、従来の断熱用カバー部材では、１層目カバー部材の取り付けと２層目カバー部材の取り付けを別々に行う必要があり、保冷対象物への断熱用カバー部材の取り付け作業が煩雑となり、作業に要する時間も長くなって、施工費用のコストアップを招く原因ともなっていた。
【０００４】
このような欠点を解消するためには、例えば、１層目カバー部材の外表面と２層目カバー部材の内表面を予め接着しておいて、両カバー部材を一体化することが考えられる。
しかしながら、１層目カバー部材と２層目カバー部材を接着により一体化して保冷対象物に取り付けると、１層目カバー部材側が、保冷対象物外表面への接触により冷却されて顕著に収縮するのに対し、２層目カバー部材側は、１層目カバー部材側ほど収縮せず、その収縮量の差によって一体化された１層目と２層目のカバー部材が破損して、断熱作用に支障をきたすことになる。
【０００５】
本発明は、このような従来の欠点に着目したもので、その目的は、１層目カバー部材と２層目カバー部材の取り付け作業を簡単かつ短時間で行うことができ、しかも、冷却収縮に伴うカバー部材の破損を確実に回避することのできる断熱用カバー部材を提供することにある。
【課題を解決するための手段】
【０００６】
本発明の第１の特徴構成は、保冷対象物の外表面に沿って複数の断熱用の１層目カバー部材を配設し、隣接する１層目カバー部材どうしを接続部で互いに接続し、さらに、その１層目カバー部材の外表面に沿って複数の断熱用の２層目カバー部材を配設し、隣接する２層目カバー部材どうしを接続部で互いに接続して、前記１層目カバー部材と２層目カバー部材を前記保冷対象物の外表面に取り付けるための断熱用カバー部材であって、前記１層目カバー部材の外表面と２層目カバー部材の内表面が、互いに剥離自在な剥離手段によって予め接続されているところにある。
【０００７】
本発明の第１の特徴構成によれば、保冷対象物の外表面に沿って取り付ける１層目カバー部材の外表面と、その１層目カバー部材の外表面に沿って取り付ける２層目カバー部材の内表面とが、剥離手段によって予め接続されているので、保冷対象物への取り付け作業時においては、１層目と２層目のカバー部材を一体化した状態で取り扱うことができ、したがって、保冷対象物への両カバー部材の取り付け作業が簡略化され、施工時間の短縮とともに、施工費用のコストダウンを図ることもできる。
そして、その１層目と２層目のカバー部材の接続は、互いに剥離自在な剥離手段によるものであるから、保冷対象物への取り付け後に、その保冷対象物外表面への接触により１層目カバー部材側が冷却により収縮すると、剥離手段からの剥離によって両カバー部材は接続を解除され、したがって、１層目側と２層目側の収縮量の差によるカバー部材の破損は回避され、長期間にわたって断熱作用を維持することができる。
【０００８】
本発明の第２の特徴構成は、前記剥離手段が、前記１層目カバー部材の外表面と２層目カバー部材の内表面を剥離自在にかつ部分的に接着する粘着性接着層により構成されているところにある。
【０００９】
本発明の第２の特徴構成によれば、剥離手段が、１層目カバー部材の外表面と２層目カバー部材の内表面を剥離自在にかつ部分的に接着する粘着性接着層により構成されているので、その粘着性接着層により所望どおりの作用が期待でき、特に、両カバー部材が粘着性接着層により部分的に接着されているので、冷却に伴う両カバー部材の剥離は一層確実なものとなる。
【００１０】
本発明の第３の特徴構成は、前記剥離手段が、前記１層目カバー部材の外表面と２層目カバー部材の内表面のうちの少なくとも一方の表面に剥離自在に貼着されたフィルムと、そのフィルムを他方の表面に接着する接着層により構成されているところにある。
【００１１】
本発明の第３の特徴構成によれば、前記剥離手段が、１層目カバー部材の外表面と２層目カバー部材の内表面のうちの少なくとも一方の表面に剥離自在に貼着されたフィルムと、そのフィルムを他方の表面に接着する接着層により構成されているので、この場合には、剥離自在なフィルムによって所望どおりの作用を期待することができる。
【００１２】
本発明の第４の特徴構成は、前記剥離手段が、前記１層目カバー部材の外表面に剥離自在に貼着された外表面フィルムと前記２層目の内表面に剥離自在に貼着された内表面フィルム、および、それら内外の表面フィルムを部分的に接着する接着層により構成されているところにある。
【００１３】
本発明の第４の特徴構成によれば、剥離手段が、１層目カバー部材の外表面に剥離自在に貼着された外表面フィルムと２層目の内表面に剥離自在に貼着された内表面フィルム、および、それら内外の表面フィルムを部分的に接着する接着層により構成されているので、この場合には、剥離自在な両フィルムと両フィルムを部分的に接着する接着層によって所望どおりの作用を期待することができる。
【００１４】
本発明の第５の特徴構成は、前記１層目カバー部材と２層目カバー部材が硬質ウレタンで形成され、前記外表面フィルムが、その硬質ウレタンからなる１層目カバー部材の外表面に貼着された防湿シートの保護用フィルムであり、前記内表面フィルムが、その硬質ウレタンからなる２層目カバー部材の製造時に使用された離型用フィルムであるところにある。
【００１５】
本発明の第５の特徴構成によれば、１層目カバー部材と２層目カバー部材が硬質ウレタンで形成されているので、断熱性能に優れた硬質ウレタンにより良好な断熱作用を期待することができる。
そして、外表面フィルムが、その硬質ウレタンからなる１層目カバー部材の外表面に貼着された防湿シートの保護用フィルムであり、また、内表面フィルムが、その硬質ウレタンからなる２層目カバー部材の製造時に使用された離型用フィルムであるから、防湿シートの保護用として、また、製造時の離型用として当然に必要なフィルムをそのまま剥離手段用に転用することができ、きわめて合理的で好都合である。
【００１６】
本発明の第６の特徴構成は、前記接着層が、前記内外の表面フィルムを剥離自在に接着する粘着性接着層により構成されているところにある。
【００１７】
本発明の第６の特徴構成によれば、内外の表面フィルムを接着する接着層も剥離自在な粘着性接着層であるから、冷却に伴う両カバー部材の剥離はより一層確実なものとなる。
【発明を実施するための最良の形態】
【００１８】
本発明による断熱用カバー部材の実施の形態を図面に基づいて説明する。
この断熱用カバー部材は、図１に示すように、断熱用の１層目カバー部材１と２層目カバー部材２からなり、１層目カバー部材１は、図２に示すように、例えば、保冷対象物としての低温流体通流用のパイプＰの外表面Ｓに合致するように、その断面形状がほぼ半割り円環状の半円筒体に構成されている。
各１層目カバー部材１は、例えば、合計４つの本体部材３と、本体部材３間に配設された断熱用の補助部材４により構成され、各本体部材３の外表面にはアルミ製の防湿シート５が貼着され、その防湿シート５の外表面には、防湿シート５を保護するためのポリエチレンやポリプロピレンからなる合成樹脂製の保護用フィルム６が剥離自在に貼着されて、各本体部材３の内表面には、本体部材３の製造時に使用されたポリエチレンやポリプロピレンからなる合成樹脂製の離型用フィルム７が剥離自在に貼着されている。
【００１９】
各本体部材３は硬質ウレタンの発泡体により、補助部材４はグラスウールにより形成され、グラスウールからなる補助部材４は、パイプＰの長手方向Ａにほぼ沿って配設される長手方向補助部材４ａと、パイプＰの周方向Ｂにほぼ沿って配設される周方向補助部材４ｂから構成され、両補助部材４ａ，４ｂが、１層目カバー部材１に対して十字状になるように配設されている。
そして、各１層目カバー部材１において、長手方向補助部材４ａは、パイプＰの長手方向Ａに沿う全長Ｌａにわたって、かつ、その厚み方向の全幅ｔにわたって設けられ、周方向補助部材４ｂは、パイプＰの周方向Ｂに沿う全長Ｌｂにわたって、かつ、その厚み方向の全幅ｔにわたって設けられ、両補助部材４ａ，４ｂに対応する１層目カバー部材１の外表面には、目地テープ８がそれぞれ貼着されている。
【００２０】
２層目カバー部材２も、硬質ウレタンの発泡体により形成されていて、図３に示すように、１層目カバー部材１の外表面に合致するように、その断面形状がほぼ半割り円環状の半円筒体からなる本体部材９により構成されている。
この一対の２層目カバー部材２の外表面には、１層目カバー部材１と同様に、アルミ製の防湿シート５が貼着され、かつ、防湿シート５の外表面には合成樹脂製の保護用フィルム６が剥離自在に貼着されていて、その内表面には、２層目カバー部材２の製造時に使用された合成樹脂製の離型用フィルム７が剥離自在に貼着されている。
そして、１層目カバー部材１の外表面に位置する保護用フィルム６と２層目カバー部材２の内表面に位置する離型用フィルム７とが、図４および図５に示すように、剥離自在な粘着性接着層としての粘着性両面テープ１０により予め接続されていて、両フィルム６，７と粘着性両面テープ１０が、後に詳しく説明する剥離手段１１として機能するように構成されている。
【００２１】
この１層目と２層目のカバー部材１，２は、例えば、硬質ウレタン発泡体により形成され、両カバー部材１，２の外表面には防湿シート５が貼着され、さらに、防湿シート５の外表面には剥離自在な保護用フィルム６が貼着され、両カバー部材１，２の内表面には、製造時に使用された剥離自在な離型用のフィルム７が貼着されたままとなっている。
１層目カバー部材１は、その半割り円筒状の１層目カバー部材１が、パイプＰの長手方向Ａと周方向Ｂに沿って切断されて、４つの本体部材３に分割されている。各本体部材３は、その分割面間に所定の目地幅ｄを有する状態で、外表面に貼着された目地テープ８により接続され、さらに、各分割面間に内側から補助部材４ａ，４ｂが挿入され、補助部材４ａ，４ｂと本体部材３とが互いに接着されて作製されている。
そして、この１層目カバー部材１と２層目カバー部材２とが、パイプＰの周方向Ｂにずれた状態で、１層目カバー部材１の外表面に貼着の保護用フィルム６と２層目カバー部材２の内表面に貼着の離型用フィルム７とが、粘着性両面テープ１０により予め接続されて、断熱用カバー部材が構成されている。
【００２２】
つぎに、この１層目と２層目のカバー部材１，２を有する断熱用カバー部材を使用して低温流体通流用のパイプＰを保冷する施工手順について説明する。
まず、粘着性両面テープ１０により一体化された１層目と２層目のカバー部材１，２において、図６に示すように、１層目内表面の離型用フィルム７を剥がし、その内表面がパイプＰの外表面Ｓに接触するようにして、一対の断熱用カバー部材をパイプＰの外表面Ｓに沿って周方向Ｂに配設するとともに、両カバー部材１，２どうしを接続部１２で接続する。その接続部１２には、ウレタン系の接着剤や硬質ウレタンフォームの原液などが使用される。
その後、その一対の断熱用カバー部材に隣接する状態で、かつ、接続部１２がパイプＰの周方向Ｂにずれるようにして別の一対の断熱用カバー部材を取り付け、パイプＰの長手方向Ａに隣接する両カバー部材１，２どうしも接続部１２により互いに接続する。
このような作業を順次繰り返しながら、パイプＰの外表面Ｓに沿って１層目と２層目のカバー部材１，２を有する多数の断熱用カバー部材を配設して取り付けるのである。
【００２３】
そして、２層目カバー部材２外表面の保護用フィルム６を剥がして、必要な場合には、防湿シート５の上から、図１に示すように、断熱用カバー部材の外周にステンレスや鉄製の線材またはガラスフィラメントテープなどからなる緊縛材１３を巻き付けて、パイプＰに取り付けるのである。
そして、パイプＰ内を低温流体が通流して、１層目カバー部材１が２層目カバー部材２に対して相対的に冷却収縮すると、剥離手段１１を構成する両フィルム６，７と粘着性両面テープ１０の少なくともひとつにおいて剥離が生じる。つまり、１層目カバー部材１の保護用フィルム６が防湿シート５から剥離するか、２層目カバー部材２の離型用フィルム７がその内表面から剥離するか、粘着性両面テープ１０がいずれか一方のフィルム６，７から剥離するか、あるいは、複数の剥離が同時に発生して、１層目カバー部材１と２層目カバー部材２の接続が解除される。
【００２４】
したがって、パイプＰへの取り付け作業時においては、１層目と２層目のカバー部材１，２を一体化して取り扱えるにもかかわらず、実際の使用に際して、１層目カバー部材１側が顕著に冷却されて収縮しても、両カバー部材１，２の破損は確実に回避される。
そして、冷却収縮が顕著に発生する１層目カバー部材１には、断熱用の補助部材４が設けられているので、その補助部材４が伸長して接続部１２に作用する応力を緩和するのであり、その補助部材４、つまり、長手方向補助部材４ａと周方向補助部材４ｂは、施工現場において取り付けるのではなく、工場において予め取り付けられているので、全て最適な圧縮充填状態で取り付けられており、したがって、接続部１２に作用する応力を適切に緩和することになる。
【００２５】
つぎに、別の実施形態について説明するが、重複説明を避けるため、先の実施形態で説明した構成部材や同じ作用を有する構成部材については、同じ符号を付すことで説明を省略し、主として先の実施形態と異なる構成について説明する。
【００２６】
（１）先の実施形態では、１層目カバー部材１の外表面に位置する保護用フィルム６、２層目カバー部材２の内表面に位置する離型用フィルム７、および、両フィルム６，７を剥離自在に接着する粘着性両面テープ１０により剥離手段１１を構成した例を示したが、剥離手段１１としては、種々の構成を採用することができる。
例えば、１層目カバー部材１側の外表面フィルム６と２層目カバー部材２側の内表面フィルム７のいずれか一方のフィルムのみを残し、そのフィルムとカバー部材とを粘着性両面テープ１０で接続し、一方のフィルムと粘着性両面テープ１０により剥離手段１１を構成することができる。
【００２７】
また、図７に示す別の実施形態では、１層目カバー部材１の外表面と２層目カバー部材２の内表面のいずれにも、先の実施形態のようなフィルムはなく、１層目カバー部材１の外表面と２層目カバー部材２の内表面とが、剥離自在な粘着性接着剤により部分的に接続されて、その粘着性接着剤が粘着性接着層１０を構成している。
このように、１層目カバー部材１の外表面フィルム６と２層目カバー部材２の内表面フィルム７は必ずしも必要なものではなく、いずれか一方または両方をなくして実施することもでき、さらに、粘着性接着層１０に関しても、特に粘着性両面テープに限るものではなく、粘着性接着剤をはじめとして種々の粘着性物質を使用して実施することができる。
【００２８】
（２）先の実施形態では、保冷対象物の一例としてパイプＰを示したが、パイプＰ以外にも、例えば、低温流体や固体などを収納するタンクや冷凍庫などの保冷用にも適用することができる。したがって、１層目と２層目のカバー部材１，２の形状も、これまでの実施形態のような半円筒形状に限るものではなく、保冷対象物の形状に応じて種々の形状に形成することができる。
また、１層目と２層目のカバー部材１，２を硬質ウレタンにより形成し、１層目カバー部材１の補助部材４をグラスウールにより形成した例を示したが、これらカバー部材１，２と補助部材４については、硬質ウレタンやグラスウール以外の材料、例えば、繊維状の各種の断熱材により形成することもできる。
【図面の簡単な説明】
【００２９】
【図１】断熱用カバー部材のパイプへの取り付け状態を示す斜視図
【図２】１層目カバー部材の斜視図
【図３】２層目カバー部材の斜視図
【図４】断熱用カバー部材の製造工程を示す斜視図
【図５】断熱用カバー部材の縦断面図
【図６】断熱用カバー部材のパイプへの取り付け工程を示す斜視図
【図７】断熱用カバー部材の別の実施形態を示す縦断面図
【符号の説明】
【００３０】
１    １層目カバー部材
２    ２層目カバー部材
５    防湿シート
６    外表面フィルムとしての保護用フィルム
７    内表面フィルムとしての離型用フィルム
１０  粘着性接着層
１１  剥離手段
１２  接続部
Ｐ    保冷対象物
Ｓ    保冷対象物の外表面
【図１】
2005133838.tif 000003
【図２】
2005133838.tif 000004
【図３】
2005133838.tif 000005
【図４】
2005133838.tif 000006
【図５】
2005133838.tif 000007
【図６】
2005133838.tif 000008
【図７】
2005133838.tif 000009